(57)【特許請求の範囲】
【請求項１】
板材を折り曲げて角筒状のドラムを形成し、該ドラム上部内方には外周に複数枚のフィンを固着したフィンパイプを貫通設置すると共に、ドラム下部には前記フィンパイプに連通する周パイプを巻回しろう付け固着し、燃焼バーナの燃焼で発生する熱気がドラム内を下方から上方に向かって通過するものに於いて、前記フィンパイプ下部とドラム内壁との間には断熱材を設け、更にこの断熱材下端のドラム内壁には、内方に突出するようにドラムと一体成形され、該ドラム内壁に沿って上昇する燃焼バーナからの熱気をドラム中央に案内する案内突起を備え、断熱材がフィンパイプ下部とドラム内壁と案内突起との間に挟み込まれるように位置している事を特徴とする給湯装置。
【発明の詳細な説明】
【技術分野】
【０００１】
この発明はドラムの耐熱性向上と熱効率の向上の両方を達成した給湯装置に関するものである。
【背景技術】
【０００２】
従来よりこの種のものでは、角筒状のドラムの上部内方にはフィンパイプを貫通設置すると共に、ドラム下部には前記フィンパイプに連通する周パイプを巻回しろう付け固着して、ドラムの下方には燃焼バーナを備え、この燃焼バーナの燃焼による熱気で、パイプ内を流通する給水を加熱して、適宜給湯として供給するものであった。（例えば、特許文献１参照）
【先行技術文献】
【特許文献】
【０００３】
【特許文献１】特開平９−２９２１６１号公報
【発明の概要】
【発明が解決しようとする課題】
【０００４】
ところでこの従来のものでは、ドラム内の下方に位置する燃焼バーナの燃焼が、どうしても外側に広がろうとする火炎となるため、熱気はドラム内壁に沿って上昇するので、ドラムが加熱されて温度が上昇するが、ドラム下部は元々周パイプが巻回されて冷却されており問題はないが、ドラム上部のフィンパイプ部分の下端に熱気が集中し、特に熱気が集中する下部のフィンからの熱伝導でドラムが加熱されて焼損すると言う耐熱性の問題があり、又熱気がドラム内壁に沿って上昇する関係から、フィンパイプ部分でも熱気は中央部に寄らず熱交換効率が悪いと言う課題を有するものであった。
【課題を解決するための手段】
【０００５】
この発明はこの点に着目し上記課題を解決する為、特にその構成を、板材を折り曲げて角筒状のドラムを形成し、該ドラム上部内方には外周に複数枚のフィンを固着したフィンパイプを貫通設置すると共に、ドラム下部には前記フィンパイプに連通する周パイプを巻回しろう付け固着し、燃焼バーナの燃焼で発生する熱気がドラム内を下方から上方に向かって通過するものに於いて、前記フィンパイプ下部とドラム内壁との間には断熱材を設け、更にこの断熱材下端のドラム内壁には、内方に突出するようにドラムと一体成形され、該ドラム内壁に沿って上昇する燃焼バーナからの熱気をドラム中央に案内する案内突起を備え、断熱材がフィンパイプ下部とドラム内壁と案内突起との間に挟み込まれるように位置しているものである。
【発明の効果】
【０００７】
この発明によれば、断熱材によってフィンパイプ下部のフィンからの熱伝導でドラムが加熱されるのを阻止するので、ドラムが加熱されて焼損する心配がなく、耐熱性も向上し安心して使用出来るものであり、更に断熱材下端につながるドラム内壁には、内方に突出するようにドラムと一体成形され、該ドラム内壁に沿って上昇する燃焼バーナからの熱気をドラム中央に案内する案内突起を備え、断熱材がフィンパイプ下部とドラム内壁と案内突起との間に挟み込まれるように位置していることで、断熱材に直接熱気が当たることによる焼損を防止すると共に、熱気がファンパイプ全体に広がり効率の良い熱交換が行われるものである。さらに、案内突起はドラムと一体成形されているので、安価で済むと共に強固であり、長期に渡って良好な作用を維持出来ると言う効果を有するものである。
【図面の簡単な説明】
【０００９】
【図１】この発明の一実施形態を付した給湯装置の熱交換器の正面図。
【図２】図１のＡ−Ａ線概略断面図。
【発明を実施するための形態】
【００１０】
次にこの発明の一実施形態を図面に基づいて説明する。
１は板金材を折り曲げて角筒状に形成したドラムで、給湯装置の熱交換器を構成するものであり、内部下方には燃焼バーナ２が上向きに備えられ、内方は下方から上方に熱気が通過する燃焼室３を形成するものである。
【００１１】
４は絞り加工によって細くされたドラム１上部内方に備えられたフィンパイプで、外周には複数枚のフィン５が固着されドラム１を貫通して設置され、燃焼バーナ２の燃焼で発生する熱気との熱交換を積極的に行うものである。
【００１２】
６はドラム１下部外周に巻回された周パイプで、上端を前記フィンパイプ４と連通すると共に下端を市水に連通して、内方に給水を流通させてドラム１外周を冷却しながら加熱されるもので、冷却効果を高めるためにドラム１とはろう付けで固着されている。
【００１３】
７は前記フィンパイプ４下部のフィン５とドラム１の前後壁との間に設けられた帯状の断熱材で、熱気が集中するフィン５下部からの熱伝導で、ドラム１の前後壁上部の加熱による焼損を防止するものである。
【００１４】
８は前記断熱材７下端のドラム１前後壁に備えられた案内手段で、ドラム１前後壁に内方に突出するように一体成形で成形された２つの案内突起９から構成され、該ドラム１内壁に沿って上昇する下方の燃焼バーナ２からの熱気をドラム１中央に案内すると共に、断熱材７下端が直接熱気にさらされることによる焼損も防止するものであり、断熱材７と案内手段８との相乗効果によりドラム１の過熱防止と熱交換器効率の向上を図ることが出来るものである。
【００１５】
１０はドラム１上端の上フランジ、１１はドラム１下端の下フランジである。
【００１６】
次にこの一実施形態の作用について説明すれば、今給湯栓（図示せず）を開栓してフィンパイプ４及び周パイプ６内に給水の流れが発生することで、燃焼バーナ２が燃焼を開始するものである。
【００１７】
そしてこの燃焼バーナ２の燃焼で発生した熱気は、ドラム１内壁に沿って上昇してドラム１下部を加熱するが、このドラム１下部には周パイプ６が巻回されているので、該周パイプ６内を流れる給水により冷却されると共に、給水は加熱されて温水となってフィンパイプ４内に流入する。
【００１８】
次にドラム１下部からの熱気は、ドラム１上部のフィンパイプ４部分に流れ込むが、特に熱気が最初に流れ込み集中するフィンパイプ４下部のフィン５とドラム１内壁との間には、断熱材７が備えられて熱伝導が遮断されることで、ドラム１内壁が過熱されて焼損する心配がなく、逆にこの遮断された熱はフィンパイプ４内を流通する温水に付加されることとなり、熱交換効率も向上するものであ。
【００１９】
更にドラム１下部の内壁に沿って上昇して来る熱気は、断熱材７下端の案内手段８によってドラム１中央に案内されると共に、断熱材７下端が直接熱気にさらされることによる焼損も防止するものであり、断熱材７と案内手段８との相乗効果によりドラム１の過熱防止と、熱気が中央に拡散されることにより熱交換器効率の向上を図ることが出来るものである。
【００２０】
又前記案内手段８をドラム１前後壁の内壁に形成された２つの案内突起９から構成したことで、案内突起９はドラム１と一体成形されているので、安価で済むと共に強固であり、長期に渡って良好な作用を維持出来るものである。
【符号の説明】
【００２１】
１  ドラム
４  フィンパイプ
５  フィン
６  周パイプ
７  断熱材
８  案内手段
【図１】
0006633452.tif 000002
【図２】
0006633452.tif 000003